(57)【特許請求の範囲】
【請求項１】
貯溜された水を循環させながら浄化処理する水浄化装置であって、
循環する前記水の一部を分取する分取手段と、
前記分取手段で分取された前記水にオゾンを混合してオゾン処理するオゾン処理手段と、
オゾン処理された後の前記水を、循環する前記水に合流させて戻す合流手段と、
前記分取手段の上流側に設けられた砂濾過器と、
前記合流手段の下流側に設けられた滅菌器と、
前記合流手段の下流側と前記滅菌器との間に設けられたフィルタと、
前記砂濾過器と前記分取手段との間と前記フィルタと前記滅菌器との間とを連結し且つ開閉弁を有するバイパスラインと
を備え、
前記オゾン処理手段が、
前記分取手段で分取された前記水にオゾンを混合するエジェクタ及びオゾン発生器と、
前記水に混合された前記オゾンを吸着保持して当該水をオゾン処理する吸着反応器と
を備えている
ことを特徴とする水浄化装置。
【請求項２】
請求項１において、
オゾン処理された前記水のオゾン濃度を計測するオゾン濃度計測手段と、
前記オゾン濃度計測手段からの信号に基づいて、オゾン処理された前記水中に前記オゾンを略残留させないように前記オゾン処理手段を制御して、分取した前記水に混合する前記オゾンの量を調整する制御手段と
を備えたこと特徴とする水浄化装置。
【請求項３】
請求項１または２において、
前記水が、浴槽またはプールに貯溜されているものであることを特徴とする水浄化装置。
【発明の詳細な説明】
【０００１】
【発明の属する技術分野】
本発明は、浴槽やプールなどに貯溜された水を浄化する水浄化装置に関する。
【０００２】
【従来の技術】
浴槽やプールなどに貯溜された水を浄化する従来の水浄化装置の概略構造を図３に示す。
【０００３】
図３に示すように、浴槽またはプール（以下「貯水槽」という。）１０１の下部には、循環ポンプ１１２の吸引口がヘアキャッチャ１１１を介して連結されている。循環ポンプ１１２の送出口は、濾過器１１３の受入口に連結している。濾過器１１３の送出口は、分取ポンプ１１４の吸引口と、吸着反応器１１７の受入口とにそれぞれ連結している。分取ポンプ１１４の送出口は、エジェクタ１１５の第一受入口に連結している。エジェクタ１１５の第二受入口には、オゾン発生器１１６が連結されている。エジェクタ１１５の送出口は、前記吸着反応器１１７の受入口に前記濾過器１１３の送出口と共に連結している。吸着反応器１１７の送出口は、次亜塩素酸ナトリウム注入や紫外線（ＵＶ）照射等による滅菌器１１８の受入口に連結している。滅菌器１１８の送出口は、前記貯水槽１０１に連結している。
【０００４】
このような水浄化装置を使用した従来の水浄化方法を次に説明する。
【０００５】
循環ポンプ１１２により貯水槽１０１内の水１を吸引すると、当該水１は、ヘアキャッチャ１１１で毛髪等の大きな不溶物が除去されて、濾過器１１３で微細な不溶物が除去され、その一部が分取ポンプ１１４で分取され、オゾン発生器１１６からのオゾン２とエジェクタ１１５において噴流混合された後、分取されなかった残りの水１と共に吸着反応器１１７内に送給される。
【０００６】
前記吸着反応器１１７内に送給された水１は、前記オゾン２が当該吸着反応器１１７に吸着保持され、当該オゾン２と水１中の菌や有機物とが接触し、殺菌処理や有機物の分解処理が行われた後、滅菌器１１８で次亜塩素酸ナトリウムの注入やＵＶを照射されてさらに滅菌処理されてから、貯水槽１０１に戻されている。
【０００７】
【発明が解決しようとする課題】
前述したような従来の水浄水装置においては、オゾン発生器１１６や吸着反応器１１７のサイズが大きいため、機械室等に設置するにあたって、スペースの確保が非常に難しく、適用することが難しかった。
【０００８】
このような問題は、浴槽やプールなどのような貯水槽１０１の水１を浄化する場合に限らず、設置スペースに限界のある場所で貯溜されている水を浄化する場合であれば、上述と同様に起こり得ることである。
【０００９】
このようなことから、本発明は、設置スペースをできるだけ小さくすることができる水浄化装置を提供することを目的とする。
【００１３】
【課題を解決するための手段】
前述した課題を解決するための、第一番目の発明による水浄化装置は、貯溜された水を循環させながら浄化処理する水浄化装置であって、循環する前記水の一部を分取する分取手段と、前記分取手段で分取された前記水にオゾンを混合してオゾン処理するオゾン処理手段と、オゾン処理された後の前記水を、循環する前記水に合流させて戻す合流手段と、前記分取手段の上流側に設けられた砂濾過器と、前記合流手段の下流側に設けられた滅菌器と、前記合流手段の下流側と前記滅菌器との間に設けられたフィルタと、前記砂濾過器と前記分取手段との間と前記フィルタと前記滅菌器との間とを連結し且つ開閉弁を有するバイパスラインとを備え、前記オゾン処理手段が、前記分取手段で分取された前記水にオゾンを混合するエジェクタ及びオゾン発生器と、前記水に混合された前記オゾンを吸着保持して当該水をオゾン処理する吸着反応器とを備えていることを特徴とする。
【００１４】
第二番目の発明による水浄化装置は、第一番目の発明において、オゾン処理された前記水のオゾン濃度を計測するオゾン濃度計測手段と、前記オゾン濃度計測手段からの信号に基づいて、オゾン処理された前記水中に前記オゾンを略残留させないように前記オゾン処理手段を制御して、分取した前記水に混合する前記オゾンの量を調整する制御手段とを備えたこと特徴とする。
【００１５】
第三番目の発明による水浄化装置は、第一番目または第二番目の発明において、前記水が、浴槽またはプールに貯溜されているものであることを特徴とする。
【００１６】
【発明の実施の形態】
本発明による水浄化装置の実施の形態を以下に説明するが、本発明はこれらの実施の形態に限定されるものではない。
【００１７】
［参照例］
本発明による水浄化装置の理解の容易化を図るための参照例を図１を用いて説明する。図１は、水浄化装置の概略構成図である。
【００１８】
図１に示すように、浴槽またはプール（以下「貯水槽」という。）１０１の下部には、循環ポンプ１２の吸引口がヘアキャッチャ１１を介して連結されている。循環ポンプ１２の送出口は、カートリッジ式のフィルタ１３の受入口に連結している。フィルタ１３の送出口は、分取ポンプ１４の吸引口と、次亜塩素酸ナトリウム注入や紫外線（ＵＶ）照射等による滅菌器１８の受入口とにそれぞれ連結している。分取ポンプ１４の送出口は、エジェクタ１５の第一受入口に連結している。エジェクタ１５の第二受入口には、オゾン発生器１６が連結されている。エジェクタ１５の送出口は、吸着反応器１７の受入口に連結している。吸着反応器１７の送出口は、前記フィルタ１３の受入口に前記循環ポンプ１２の送出口と共に連結している。前記滅菌器１８の送出口は、前記貯水槽１０１に連結している。
【００１９】
なお、本参照例では、分取ポンプ１４等により分取手段を構成し、エジェクタ１５、オゾン発生器１６、吸着反応器１７等によりオゾン処理手段を構成し、吸着反応器１７等により合流手段を構成している。
【００２０】
また、前記循環ポンプ１２の送出口側と前記吸着反応器１７の送出口側との合流箇所よりも当該吸着反応器１７の送出口側には、オゾン濃度を検出するＵＶ吸収型やポーラログラフ型等のオゾン濃度計測手段であるオゾン濃度計測センサ１９ａが設けられている。このオゾン濃度計測センサ１９ａは、制御手段である制御装置１９の入力部に電気的に接続されている。制御装置１９の出力部は、前記オゾン発生器１６に電気的に接続されており、当該制御装置１９は、上記オゾン濃度計測センサ１９ａからの信号に基づいて、オゾン発生器１６から送出させるオゾン２の量を調整するように当該オゾン発生器１６を制御するようになっている（詳細は後述する。）。
【００２１】
このような水浄化装置を使用した水浄化方法を次に説明する。
【００２２】
循環ポンプ１２により貯水槽１０１内の水１を吸引すると、当該水１は、ヘアキャッチャ１１で毛髪等の大きな不溶物が除去されて、フィルタ１３で微細な不溶物が除去された後、その一部が分取ポンプ１４で分取される。
【００２３】
分取ポンプ１４で分取された水１は、オゾン発生器１６からのオゾン２とエジェクタ１５において噴流混合されて、吸着反応器１７内に送給され、前記オゾン２が当該吸着反応器１７に吸着保持され、当該オゾン２と水１中の菌や有機物とが接触し、当該菌や有機物の殺菌処理や分解処理等のオゾン処理が行われた後、前記循環ポンプ１２から送出された循環中の前記水１と合流されて戻され、前記フィルタ１３内に再び送給される。
【００２４】
このとき、例えば、分取ポンプ１４で分取された水１中の菌や有機物の量が少なくなり、吸着反応器１７から送出される水１中に余剰なオゾン２が残留するようになると（例えば、０．０４ｇ／ｍ3 を超えると）、前記制御装置１９が、前記オゾン濃度計測センサ１９ａからの信号に基づいて、上記吸着反応器１７から送出されるオゾン処理された水１中にオゾン２を略残留させないように（例えば、０．０４ｇ／ｍ3 以下となるように）オゾン発生器１６を制御して、オゾン発生器１６から送出させるオゾン１の量を減らすように調整する。
【００２５】
また、吸着反応器１７から送出される水１中のオゾン２が極低濃度になると（例えば、０．０１ｇ／ｍ3 未満になると）、前記制御装置１９が、前記オゾン濃度計測センサ１９ａからの信号に基づいて、上記吸着反応器１７から送出されるオゾン処理された水１中のオゾン濃度を上昇させるように（０．０１ｇ／ｍ3 以上となるように）オゾン発生器１６を制御して、オゾン発生器１６から送出させるオゾン１の量を増やすように調整する。
【００２６】
他方、前記分取ポンプ１４で分取されなかった残りの水１は、滅菌器１８で次亜塩素酸ナトリウムの注入やＵＶを照射されて滅菌処理された後、浴槽１０１に戻される。
【００２７】
つまり、従来は、循環する水１の一部を分取し、分取した水１にオゾン２を混合して、当該水１を、循環する水１に合流した後にオゾン処理していたが、本参照例は、循環する水１の一部を分取し、分取した水１にオゾン発生器１６からのオゾン２を混合して当該水１のみを吸着反応器１７内に流通させてオゾン処理した後に、当該水１を、循環する水１に合流させて戻すようにしたのである。このような構成とした理由を以下に説明する。
【００２８】
水１に注入するオゾン２の使用量はできるだけ少ない方が望ましいが、水１に対するオゾン２の注入率が低いと、オゾン２は自己分解しやすいため、反応せずに分解してしまう方の割合が多くなり、効率が悪くなってしまう。このため、水１の量に対して２〜３ｇ／ｍ3 程度の溶存濃度となるようにオゾン２を注入すると効率がよく好ましい。
【００２９】
そこで、本参照例では、水１を循環させて浄化する循環式水浄化の場合において、循環する水１の一部を分取し、分取した水１のみをオゾン処理することにより、水１に注入するオゾン２の使用量が少なくても、好ましいオゾン溶存濃度で水１をオゾン処理することができるようにしたのである。これにより、オゾン発生器１６や吸着反応器１７が小型であっても、従来と同等またはそれ以上の水浄化効果を得ることができる。
【００３０】
したがって、本参照例によれば、オゾン発生器１６および吸着反応器１７を従来のものよりも小型化することができるので、機械室等に設置するにあたって、従来よりもスペースを容易に確保することができ、従来よりも容易に適用することができる。
【００３１】
また、制御装置１９が、オゾン濃度計測センサ１９ａからの信号に基づいて、オゾン処理された水１中にオゾン２を略残留させないようにオゾン発生器１６を制御するので、循環する水１中（分岐ライン以外の水１中）にオゾン２が流出してしまうことを確実に防止することができ、貯水槽１０１内にオゾン２が流入してしまうことを確実に防止することができる。
【００３２】
なお、本参照例では、吸着反応器１７の送出口を、フィルタ１３の受入口に循環ポンプ１２の送出口と共に連結したが、当該吸着反応器１７の送出口を、滅菌器１８の受入口側に連結するようにしてもよい。
【００３３】
［実施の形態］
本発明による水浄化装置の実施の形態を図２を用いて説明する。図２は、水浄化装置の概略構成図である。ただし、前述した参照例と同一の部分については、前述した参照例の説明で用いた符号と同一の符号を用いることにより、その説明を省略する。
【００３４】
図２に示すように、貯水槽１０１の下部には、循環ポンプ１２の吸引口がヘアキャッチャ１１を介して連結されている。循環ポンプ１２の送出口は、砂濾過器２３の受入口に連結している。砂濾過器２３の送出口は、カートリッジ式のフィルタ１３と、分取ポンプ１４の吸引口とにそれぞれ連結している。分取ポンプ１４の送出口は、エジェクタ１５の第一受入口に連結している。エジェクタ１５の第二受入口には、オゾン発生器１６が連結されている。エジェクタ１５の送出口は、吸着反応器１７の受入口に連結している。吸着反応器１７の送出口は、前記分取ポンプ１４の吸引口と前記フィルタ１３の受入口との間に連結している。フィルタ１３の送出口は、次亜塩素酸ナトリウム等を注入する滅菌器２８の受入口に連結している。滅菌器２８の送出口は、前記貯水槽１０１に連結している。前記砂濾過器２３の送出口と前記滅菌器２８の受入口との間は、開閉弁２９ａを有するバイパスライン２９で連結されている。
【００３５】
また、前記フィルタ１３の受入口側と前記吸着反応器１７の送出口側との合流箇所よりも当該吸着反応器１７の送出口側には、オゾン濃度計測センサ１９ａが設けられている。このオゾン濃度計測センサ１９ａは、制御装置１９の入力部に電気的に接続されている。制御装置１９の出力部は、前記オゾン発生器１６に電気的に接続されている。
【００３６】
このような水浄化装置を使用した水浄化方法を次に説明する。
【００３７】
循環ポンプ１２により貯水槽１０１内の水１を吸引すると、当該水１は、ヘアキャッチャ１１で毛髪等の大きな不溶物が除去されて、砂濾過器２３で小さな不溶物が除去された後、その一部が分取ポンプ１４で分取される。
【００３８】
分取ポンプ１４で分取された水１は、オゾン発生器１６からのオゾン２とエジェクタ１５において噴流混合されて、吸着反応器１７内に送給され、前記オゾン２が当該吸着反応器１７に吸着保持され、当該オゾン２と水１中の菌や有機物とが接触し、当該菌や有機物の殺菌処理や分解処理が行われた後、上記分取ポンプ１４で分取されなかった循環中の残りの水１と合流されて戻され、フィルタ１３内に送給される。
【００３９】
このとき、例えば、分取ポンプ１４で分取された水１中の菌や有機物の量が少なくなり、吸着反応器１７から送出される水１中に余剰なオゾン２が残留するようになると（例えば、０．０４ｇ／ｍ3 を超えると）、前記制御装置１９が、前記オゾン濃度計測センサ１９ａからの信号に基づいて、上記吸着反応器１７から送出されるオゾン処理された水１中にオゾン２を略残留させないように（例えば、０．０４ｇ／ｍ3 以下となるように）オゾン発生器１６を制御して、オゾン発生器１６から送出させるオゾン１の量を減らすように調整する。
【００４０】
また、吸着反応器１７から送出される水１中のオゾン２が極低濃度になると（例えば、０．０１ｇ／ｍ3 未満になると）、前記制御装置１９が、前記オゾン濃度計測センサ１９ａからの信号に基づいて、上記吸着反応器１７から送出されるオゾン処理された水１中のオゾン濃度を上昇させるように（０．０１ｇ／ｍ3 以上となるように）オゾン発生器１６を制御して、オゾン発生器１６から送出させるオゾン１の量を増やすように調整する。
【００４１】
前記フィルタ１３内に送給された循環中の水１は、当該フィルタ１３で微細な不溶物が除去されてから、滅菌器２８で次亜塩素酸ナトリウム等を注入されて滅菌処理された後、貯水槽１０１に戻される。
【００４２】
つまり、前述した参照例の場合と同様に、循環する水１の一部を分取し、分取した水１にオゾン発生器１６からのオゾン２を混合して当該水１のみを吸着反応器１７内に流通させてオゾン処理した後に、当該水１を、循環する水１に合流させて戻すようにしたのである。
【００４３】
したがって、本実施の形態によれば、前述した参照例の場合と同様に、オゾン発生器１６および吸着反応器１７を従来のものよりも小型化することができるので、機械室等に設置するにあたって、従来よりもスペースを容易に確保することができ、従来よりも容易に適用することができる。
【００４４】
また、制御装置１９が、オゾン濃度計測センサ１９ａからの信号に基づいて、オゾン処理された水１中にオゾン２を略残留させないようにオゾン発生器１６を制御するので、循環する水１中（分岐ライン以外の水１中）にオゾン２が流出してしまうことを確実に防止することができ、貯水槽１０１内にオゾン２が流入してしまうことを確実に防止することができる。
【００４５】
また、貯水槽１０１内の水１の汚れ具合が少ないときには、前記バイパスライン２９の開閉弁２９ａを開放することにより、砂濾過器２３から送出されてきた水１の一部を滅菌器２８に直接流すことができるので、オゾン処理およびフィルタリングを行う量を少なくすることができ、ランニングコストの低減を図ることができる。
【００４６】
［他の実施の形態］
前述した参照例及び実施の形態では、浴槽やプールなどのような貯水槽１０１内に貯溜された水１の浄化処理に適用する場合について説明したが、本発明は、これに限らず、設置スペースに限界のある場所で貯溜されている水を浄化する場合であれば、前述した実施の形態の場合と同様に適用することができる。
【００５０】
【発明の効果】
第一番目の発明による水浄化装置は、貯溜された水を循環させながら浄化処理する水浄化装置であって、循環する前記水の一部を分取する分取手段と、前記分取手段で分取された前記水にオゾンを混合してオゾン処理するオゾン処理手段と、オゾン処理された後の前記水を、循環する前記水に合流させて戻す合流手段と、前記分取手段の上流側に設けられた砂濾過器と、前記合流手段の下流側に設けられた滅菌器と、前記合流手段の下流側と前記滅菌器との間に設けられたフィルタと、前記砂濾過器と前記分取手段との間と前記フィルタと前記滅菌器との間とを連結し且つ開閉弁を有するバイパスラインとを備え、前記オゾン処理手段が、前記分取手段で分取された前記水にオゾンを混合するエジェクタ及びオゾン発生器と、前記水に混合された前記オゾンを吸着保持して当該水をオゾン処理する吸着反応器とを備えているので、オゾン処理手段を小型なもので済ませることができ、設置スペースを容易に確保することができる。
【００５１】
第二番目の発明による水浄化装置は、第一番目の発明において、オゾン処理された前記水のオゾン濃度を計測するオゾン濃度計測手段と、前記オゾン濃度計測手段からの信号に基づいて、オゾン処理された前記水中に前記オゾンを略残留させないように前記オゾン処理手段を制御して、分取した前記水に混合する前記オゾンの量を調整する制御手段とを備えたので、循環する水中にオゾンが流出してしまうことを確実に防止することができる。
【００５２】
第三番目の発明による水浄化装置は、第一番目または第二番目の発明において、前記水が、浴槽またはプールに貯溜されているものであるので、第一番目または第二番目の発明で得られる効果を最も発揮することができる。
【図面の簡単な説明】
【図１】  本発明による水浄化装置の理解の容易化を図るための参照例の概略構成図である。
【図２】  本発明による水浄化装置の実施の形態の概略構成図である。
【図３】従来の水浄化装置の一例の概略構成図である。
【符号の説明】
１  水
２  オゾン
１１  ヘアキャッチャ
１２  循環ポンプ
１３  フィルタ
１４  分取ポンプ
１５  エジェクタ
１６  オゾン発生器
１７  吸着反応器
１８  滅菌器
１９  制御装置
１９ａ  オゾン濃度計測センサ
２３  砂濾過器
２８  滅菌器
２９  バイパスライン
２９ａ  開閉弁
１０１  貯水槽
【図１】
0003723091.tif 000002
【図２】
0003723091.tif 000003
【図３】
0003723091.tif 000004